(57)【要約】      （修正有）【課題】傾斜面を有する商品見本装着台に対する特定構造の保持具を介した取り付けが確実になされるとともに、保持具による挟持も確実になされる商品見本を提供する。【解決手段】商品見本１は、商品見本装着台の傾斜面に設けた商品見本装着孔に保持具を介して取り付けるものであって、光透過性を有する合成樹脂製で下部側面は前記傾斜面にならった傾斜面２を有する半割状に形成され、底面３には、前記保持具の一対の保持板に挟持されたときに、左右方向の移動を規制する位置決め凸部４ａ，４ｂと、前後方向の動きを規制する係合凸部５ａ，５ｂを設ける。【選択図】図１
0003154722.tif 000002
【実用新案登録請求の範囲】
【請求項１】
自動販売機の手前側から奥側に向けて上昇する傾斜面を有し、内部に配置した照明器具の光を通過させる照明用透孔を兼ねる商品見本装着孔を前記傾斜面に設けてなる商品見本装着台に、前記商品見本装着孔の縁部に着脱可能に嵌着するための取付部と、この取付部を前記商品見本装着孔の縁部に係合したときに前記商品見本装着台の外部に位置する一対の保持板からなる保持部を備えてなる弾性を有する合成樹脂製の保持具を介して、前記商品見本装着孔に対して取り付ける商品見本であって、商品見本は、合成樹脂製で下部側面は前記傾斜面にならった傾斜面を有する半割状に形成され、底面には、前記保持具の一対の保持板に挟持されたときに、左右方向の移動を規制する位置決め凸部と、前後方向の動きを規制する係合凸部を設けたことを特徴とする自動販売機用商品見本。
【考案の詳細な説明】
【技術分野】
【０００１】
本考案は、自動販売機において商品購入者が視認可能な位置に設置した商品見本装着台に取り付ける商品見本に関する。
【背景技術】
【０００２】
従来の自動販売機における商品見本装着台としては、近年、商品見本の展示効果を上げるために、内部に照明器具を配置した構成のものが一般的になっているが、商品見本を装着する面が水平なものと、傾斜しているものとがあり、これら装着面に照明用透孔を兼ねる商品見本装着孔を設けている。照明効果の点では、水平面に照明用透孔を設けたものより、傾斜面に照明用透孔を設けたものの方が優れている。しかし、商品見本は、商品購入者が正面から見て、ほぼ垂直に配置されている必要があるので、傾斜面に商品見本を装着する装着台は、見本体を装着台に取り付けるための保持具の構造が複雑になる（特許文献１）。このため、見本体を保持する保持具の製造コストが高いとともに、保持具の装着作業が煩雑で容易でなく、簡便性に欠けるという不都合を生じている。この不都合を解消するものとして、簡単な構造で、傾斜面を有する装着台への取り付けが容易な保持具も提案されている（特許文献２）。
【先行技術文献】
【特許文献】
【０００３】
【特許文献１】特開２００３−１８７３１０号公報
【特許文献２】特開２００５−５００８７号公報
【考案の概要】
【考案が解決しようとする課題】
【０００４】
この改良された保持具は、自動販売機の手前側から奥側に向けて上昇する傾斜面を有し、内部に配置した照明器具の光を通過させる照明用透孔を兼ねる商品見本装着孔を前記傾斜面に設けてなる商品見本装着台に、前記商品見本装着孔に対して商品見本を取り付けるための保持具であって、弾性を有する合成樹脂からなり、前記商品見本装着孔の縁部に係合するための断面ほぼＬ字状の取付部基部と、この取付基部から上方に伸びて上部には商品見本装着孔の内縁に係合する係合凹部を有する一対の取付アームとからなる取付部と、この取付部を前記商品見本装着孔の縁部に嵌着したときに前記商品見本装着台の外部に位置して見本体の底部を着脱可能に挟持するための対向面に凹凸を形成した一対の保持板とを備えている。
【０００５】
一方、この保持具の一対の保持板に挟持される商品見本の底部には、保持具の一対の保持板に挟持されたとき左右方向の移動を規制するために、前記一対の保持板に係止する係止部を設けてある。ところが、この係止部によって商品見本の左右方向の移動は規制されるが、前後方向の移動は規制されないため、保持板による商品見本の挟持状態は安定せず、確実な挟持を維持することが困難であるという不都合を有している。本考案は、この不都合を解消した、上記保持具に適用して好適な商品見本を提供することを目的とする。
【課題を解決するための手段】
【０００６】
この目的を達成するため、本考案に係る商品見本は、弾性を有する合成樹脂からなり、半割状で、下部側面は商品見本装着台の傾斜面にならって傾斜し、底面には、保持具に取り付ける際の位置決めと挟持された際の左右方向の移動を規制する位置決め凸部を一対設けるとともに、挟持された時に保持板の凹凸面に係止して前後方向の移動を規制する、適宜数の係合凸部を設けたものである。
【考案の効果】
【０００７】
本考案に係る商品見本によれば、傾斜面を有する商品見本装着台に対する特定構造の保持具を介した取り付けが確実になされるとともに、保持具の一対の保持板による挟持も確実になされるという効果を奏する。
【図面の簡単な説明】
【０００８】
【図１】商品見本の斜視図。
【図２】商品見本を商品見本装着台に取り付けた状態の断面図。
【図３】保持具の正面図。
【図４】保持具の側面図。
【図５】図４のＡ−Ａ線断面図。
【図６】保持具の一方の取付アームの平面図。
【図７】商品見本装着台の商品見本装着孔に保持具を取り付けた状態を示す平面図。
【考案を実施するための形態】
【０００９】
以下、本考案の好適な実施形態を添付図面に基づいて説明する。はじめに、商品見本装着台について説明する。図２に示すように、商品見本装着台３１は、自動販売機（図示せず）内の商品見本展示部（図示せず）に配置して固定するもので、自動販売機の手前側から奥側に向けて上昇する傾斜面３２を有している。この傾斜面３２には、内部に配置した照明器具（図示せず）の光を通過させる照明用透孔を兼ねる複数の商品見本装着孔３３を設けている（図７参照）。そして、この商品見本装着孔３３の数は、前記商品見本展示部に対応する商品見本装着台３１の長さ及び自動販売機で販売する商品の種類数に応じて決定される。
【００１０】
次に、商品見本装着孔３３に取り付ける商品見本及び保持具について説明する。商品見本１は、図２に示すように、前記商品見本装着孔３３に取り付ける保持具１１で保持されるものである。
【００１１】
図１及び図２に示すように、商品見本１は、ボトル状の中空成形商品容器を前後に半割状にした形状で光透過性を有する合成樹脂製である。そして、図示してはいないが、商品容器のデザインにならった図柄や文字を表示している。商品見本１の下部側面は、商品見本装着台３１の傾斜面３２にならって傾斜した傾斜面２を形成し、前記保持具１１で保持したときに前記傾斜面３２に接触して安定的に保持されるよう構成している。また、商品見本１の底面３には、一対の位置決め凸部４ａ，４ｂと、前後方向の移動を規制する一対の係合凸部５ａ，５ｂを設けている。これら位置決め凸部４ａ，４ｂは、商品見本１を、後述する保持具１１の一対の保持板で挟持する際の位置決めと、挟持後の左右方向の移動を規制するためのものである。また、係合凸部５ａ，５ｂは、挟持後の前後方向の移動を規制するためのものである。
【００１２】
また、保持具１１も、弾性を有する合成樹脂製である。この保持具１１は、図３及び図４に示すように、商品見本装着孔３３の下端縁部３３ａに着脱可能に嵌着するための取付部２と、この取付部２を前記商品見本装着孔３３の下端縁部３３ａに嵌着したときに商品見本装着台３１の外部に位置して（図２参照）、商品見本１の底部３を着脱可能に挟持するための保持部１３とからなる。
【００１３】
取付部１２は、断面がほぼＬ字状の取付基部１４と、この取付基部１４の両側端からそれぞれ上方に伸びて、上部には商品見本装着孔３３の側部内縁に係合する係合凹部１６ａ，１６ｂを有する一対の取付アーム１５ａ，１５ｂとからなる。係合凹部１６ａ，１６ｂからさらに上方に伸びる壁面は、商品見本装着孔３３の側部内縁端の内側に当接する当接部１７ａ，１７ｂを構成し、これら各当接部１７ａ，１７ｂを含む上端部分で、前記商品見本装着孔３３に各取付アーム１５ａ，１５ｂを取り付ける際にこれらの取付アーム１５ａ，１５ｂを接近方向に撓ませるべく指で摘むための摘み部１８ａ，１８ｂを構成する。そして、取り付け時には、前記各取付アーム１５ａ，１５ｂの上端面がそれぞれ、前記商品見本装着孔３３の左右の段部下面３３ｂ，３３ｃにほぼ対応位置するよう構成している。
【００１４】
一方、保持部１３は、対向面に互いに噛み合うように所定間隔を位置する凹凸部１９ａ，１９ｂをそれぞれ形成した一対の保持板２０ａ，２０ｂを備えている。これら保持板２０ａ，２０ｂの幅方向の長さが見本体１の底面３に設けた一対の位置決め凸部４ａ，４ｂの幅方向の長さとほぼ一致するように構成している。
【００１５】
続いて、上述した構成の保持具１１を用いて行う商品見本装着台３１への商品見本１の取付動作を説明する。まず、保持具１１の取付部１２の取付基部１４を、商品見本装着孔３３の下端内縁３３ａに上方から差し込むようにして係合する。次いで、取付アーム１５ａ，１５ｂの摘み部１８ａ，１８ｂを摘んで互いの接近方向に撓むよう付勢し、前記取付アーム１５ａ，１５ｂを前記商品見本装着孔３３の内側に位置させて、各係合凹部１６ａ，１６ｂを前記商品見本装着孔３３の側部内縁に対応位置させたうえ、前記付勢を解除すると前記各係合凹部１６ａ，１６ｂは対応位置する前記商品見本装着孔３３の内縁に係合する。
【００１６】
保持具１１を、商品見本装着孔３３に取り付けた後、商品見本１の底面３を、一対の位置決め凸部４ａ，４ｂが保持板２０ａ，２０ｂの外側に対応位置するようにして、前記保持板２０ａ，２０ｂ間に挿入し、凹凸部１９ａ，１９ｂの作用で商品見本１の底部３を確実に挟持する。この時、商品見本１の底面３は、位置決め凸部４ａ，４ｂが各保持板２０ａ，２０ｂの両側端に係止して左右方向の動きを規制し、商品見本１の下部は傾斜面２が商品見本装着台３１の傾斜面３２に当接する。また、係合凸部５ａ，５ｂが保持板２０ａ，２０ｂの凹凸部１９ａ，１９ｂの間に対応して、前後方向の動きを規制する。
【００１７】
このようにして、商品見本１を安定した状態で商品見本装着台３１に取り付けることができる。一方、商品見本１の交換にあたっては、商品見本１を保持具１１から外し、新たな商品見本１を、上述のようにして、当該保持具１１に取り付ければよいものである。
【００１８】
なお、本発明は上述の実施形態に限定されるものではなく、例えば、商品見本１の形状は、半割状であれば、ボトル状のほか、缶状やカップ状の各種飲料容器にならった形状でもよい。また、係合凸部５ａ，５ｂは一対（２個）に限らず、１個または３個でもよい。
【符号の説明】
【００１９】
１      商品見本
２      傾斜面
３      底面
４ａ，４ｂ      位置決め凸部
５ａ，５ｂ      係合凸部
１１      保持具
１２      取付部
１３      保持部
１４      取付基部
１５ａ，１５ｂ      取付アーム
１６ａ，１６ｂ      係合凹部
１７ａ，１７ｂ      当接部
１８ａ，１８ｂ      摘み部
１９ａ，１９ｂ      凹凸部
２０ａ，２０ｂ      保持板
３１      商品見本装着台
３２      傾斜面
３３      商品見本装着孔
３３ａ      下端内縁
３３ｂ，３３ｃ      段部下面
【図１】
0003154722.tif 000003
【図２】
0003154722.tif 000004
【図３】
0003154722.tif 000005
【図４】
0003154722.tif 000006
【図５】
0003154722.tif 000007
【図６】
0003154722.tif 000008
【図７】
0003154722.tif 000009